(57)【特許請求の範囲】
【請求項１】
上端に手動回転用ハンドル部（２）を有し、下端に複数本の短寸絡め部材（３）を下方突出状に突設し、上記ハンドル部（２）と該絡め部材（３）とを上下連結して一体化する縦管（１０）を有する引抜き本体（１）を備え、
該引抜き本体（１）の上記ハンドル部（２）近傍に配設される手動操作部（７）と、上記絡め部材（３）近傍に配設されて該絡め部材（３）に巻き付いた雑草（Ｚ）を下方へ押し出す押出部（６）と、上記手動操作部（７）と該押出部（６）とを上下連結して一体化する連結部材（５）とを、有する雑草取外し部材（１５）を備え、かつ、上記押出部（６）は、隣接する上記絡め部材（３）（３）の間隙（９）に入り込む凸部（１６）を有し、かつ、各該凸部（１６）の下端面が、突起物の無い平坦面状に形成され、
使用状態に於て、上記絡め部材（３）を上記雑草（Ｚ）の上方から垂直に差込むと共に、上記ハンドル部（２）を手動で回転させて上記絡め部材（３）に上記雑草（Ｚ）の根を巻き付けて引抜き、上記手動操作部（７）を押圧操作することにより、上記押圧部（６）にて上記絡め部材（３）に巻き付いた雑草（Ｚ）を下方へ押し退けると共に、上記凸部（１６）の上記下端面にて上記絡め部材（３）（３）の間隙（９）に絡んだ雑草（Ｚ）の根や土を押し出して取り除くように構成されたことを特徴とする草抜き具。
【発明の詳細な説明】
【技術分野】
【０００１】
本発明は、草抜き具に関する。
【背景技術】
【０００２】
従来、雑草を引き抜いて除去する草抜き具が広く用いられている（例えば、特許文献１参照）。
【先行技術文献】
【特許文献】
【０００３】
【特許文献１】登録実用新案第３０８５１４０号公報
【発明の概要】
【発明が解決しようとする課題】
【０００４】
しかし、特許文献１記載の草抜き具は、雑草を掴んだまま回転させた際に、先端の金具に雑草の根や茎が巻き付いて（絡んで）、草抜き具から雑草を取り外すことができなくなるという欠点があった。
【０００５】
そこで、本発明は、迅速かつ容易に雑草を除去できる草抜き具を提供することを目的とする。
【課題を解決するための手段】
【０００６】
本発明に係る草抜き具は、上端に手動回転用ハンドル部を有し、下端に複数本の短寸絡め部材を下方突出状に突設し、上記ハンドル部と該絡め部材とを上下連結して一体化する縦管を有する引抜き本体を備え、該引抜き本体の上記ハンドル部近傍に配設される手動操作部と、上記絡め部材近傍に配設されて該絡め部材に巻き付いた雑草を下方へ押し出す押出部と、上記手動操作部と該押出部とを上下連結して一体化する連結部材とを、有する雑草取外し部材を備え、かつ、上記押出部は、隣接する上記絡め部材の間隙に入り込む凸部を有し、かつ、各該凸部の下端面が、突起物の無い平坦面状に形成され、使用状態に於て、上記絡め部材を上記雑草の上方から垂直に差込むと共に、上記ハンドル部を手動で回転させて上記絡め部材に上記雑草の根を巻き付けて引抜き、上記手動操作部を押圧操作することにより、上記押圧部にて上記絡め部材に巻き付いた雑草を下方へ押し退けると共に、上記凸部の上記下端面にて上記絡め部材の間隙に絡んだ雑草の根や土を押し出して取り除くように構成されたものである。
【発明の効果】
【０００７】
本発明の草抜き具によれば、ハンドル部に手動回転トルクを付与して引抜き本体を回転させ絡め部材を雑草の根に巻き付け、雑草を根こそぎ引き抜くことができ、かつ、絡め部材に巻き付いた雑草を簡単に取り外すことができる。作業者が立ったままで雑草を次々と引抜いて、腰を屈めることなく迅速かつ容易に雑草を取り外せるため、足腰への負担が少なく、作業効率を向上できる。
【図面の簡単な説明】
【０００８】
【図１】本発明の実施の一形態を示した正面図である。
【図２】要部拡大正面図である。
【図３】拡大底面図である。
【図４】本発明の使用状態を示した作用説明図である。
【図５】本発明の使用状態を示した作用説明図である。
【図６】本発明の使用状態を示した作用説明図である。
【発明を実施するための形態】
【０００９】
以下、実施の形態を示す図面に基づき本発明を詳説する。
図１と図２に示すように、本発明の草抜き具は、上端に手動回転用ハンドル部２を有し、下端に複数本の短寸絡め部材３を下方突出状に突設し、ハンドル部２と絡め部材３とを上下連結して一体化する縦管１０を有する引抜き本体１を備えている。
【００１０】
ハンドル部２は、樹脂製であって、その中央ボス部２Ａが縦管１０の上部に外嵌状に嵌め込んで固着されている。ハンドル部２は、作業者が握り易いように下端縁を波形としている。なお、ハンドル部２は、例えば、自動車のハンドルのような円環状としても良い。絡め部材３は、縦管１０の下部に固着される樹脂製取付部材１３に植え込まれている。絡め部材３は、図例では、先端を次第に縮径するように形成し、地面に刺さり易いように尖らせた棒状金具であって、その本数は、３本である。本発明に於て、絡め部材３の本数は、２本〜５本に設定するのが好ましい。なお、図示省略するが、絡め部材３は、帯片状に形成するも良い。縦管１０は、ストレート状の金属製（円形）パイプから成る。引抜き本体１は、ハンドル部２に手動で回転トルクを付与する操作（いわゆる手動回転操作）により、縦管１０の軸心Ｌ1を中心に回転するように構成している。
【００１１】
また、本発明の草抜き具は、引抜き本体１のハンドル部２近傍に配設される手動操作部７と、絡め部材３近傍に配設されて絡め部材３に巻き付いた雑草Ｚを下方へ押し出す押出部６と、手動操作部７と押出部６とを上下連結して一体化する連結部材５とを、有する雑草取外し部材１５を備えている。雑草取外し部材１５は、引抜き本体１に付設しているとも言える。
【００１２】
手動操作部７は、連結部材５の一端５ａに取着された押圧力受け用のノブであって、弾発部材８を介してハンドル部２に近接・離間自在に取り付けられている。手動操作部７は、平面視円型に形成され、その上面は丸みを帯びている。弾発部材８は、伸長する方向に弾発付勢力を働かせるコイルバネから成り、手動操作部７に上方から付与される押圧力に対して反発するように取着されている。押出部６は、連結部材５の他端５ｂに取着され、（３本の）絡め部材３…の内側にて上下方向に往復自在である。
雑草取外し部材１５は、手動操作部７の押圧操作により、連結部材５を介して押出部６に押圧力を（直列状に）伝達し、押出部６にて（絡め部材３に巻き付いた）雑草Ｚを下方へ押し退けて取り除くように構成している（後述の図６参照）。なお、雑草取外し部材１５は、弾発部材８により手動操作部７が上方に弾発付勢されているため、手動操作部７を上方から押圧した際に押出部６が下方に押し出され、手動操作部７から手を離すと押出部６が取付部材１３に当接するまで引き戻される。
【００１３】
また、引抜き本体１には、上下方向全長にわたって貫通孔４が形成され、貫通孔４に連結部材５を収納している。
連結部材５は、細長の棒状であって、その両端５ａ，５ｂを貫通孔４の両端開口部から突き出している。連結部材５は、貫通孔４に（上下方向に）スライド自在に挿通されている。連結部材５は、手動操作部７から押出部６に押圧力を（一直線上にて）伝達し、直列的に連動させている。
【００１４】
図３に示す底面視に於て、複数本の絡め部材３は、縦管１０の軸心点Ｐを中心とする仮想円Ｃ上に配設されている。
図例では、３本の棒状絡め部材３…が、縦管１０の軸心点Ｐを中心として、中心角が均等（１２０°）になるように等ピッチで並べられており、互いに平行に（下方に向けて）垂設されている。
【００１５】
押出部６は、隣接する絡め部材３，３の間隙９に入り込む凸部１６を有している。
押出部６は、樹脂成型品であって、図例では、３本の絡め部材３…に対応して３つの凸部１６…を有しており、全体形状としては、底面視三叉状である。図示省略するが、絡め部材３…が４本であれば、押出部６は４つの凸部１６…を有する底面視十字形状に形成し、絡め部材３…が５本であれば、押出部６は５つの凸部１６…を有する底面視略星形状に形成するのが望ましい。
【００１６】
なお、本発明の草抜き具は、図１に示す自由状態に於て、操作部７から絡め部材３の先端までの長さ寸法Ｌを、８００ｍｍ〜１１００ｍｍに設定するのが好ましい。言い換えると、本発明の草抜き具は、作業者が立ったままの姿勢で、ハンドル部２を把持して手動回転操作し、及び、ハンドル部２を把持したまま手動操作部７を押圧操作可能に構成している。
【００１７】
上述した本発明の草抜き具の使用方法（作用）について説明する。
図４に示すように、本発明の草抜き具を雑草Ｚに上方から（ハンドル部２に力を加えて）押し付けて、絡め部材３を雑草Ｚの根の深さまで垂直に差し込む。この際、作業者は、立ったままの姿勢でハンドル部２を把持して、縦管１０の軸心Ｌ1が雑草Ｚの中心をとらえるように狙いを定めて、しっかりと力を込めて差し込む。
【００１８】
次に、図５に示すように、ハンドル部２を、２周〜３周“クルックルッ”と回転させ、縦管１０を軸心Ｌ1廻りに回動させて、絡め部材３に雑草Ｚの根を巻き付ける。
その後、ハンドル部２を把持したまま上方に引き上げることで雑草Ｚを根ごと持ち上げて（根こそぎ）引抜き、次に、図６に示すように、手動操作部７を“ポン”と押すと、押圧力Ｆが連結部材５を伝わって、押出部６が絡め部材３に巻き付いた雑草Ｚを押し出す。この際、押出部６は、凸部１６にて絡め部材３，３の間隙９に絡んだ雑草Ｚの根や土をも取り除いて、雑草Ｚを確実に除去する。
【００１９】
以上のように、本発明に係る草抜き具は、上端に手動回転用ハンドル部２を有し、下端に複数本の短寸絡め部材３を下方突出状に突設し、ハンドル部２と絡め部材３とを上下連結して一体化する縦管１０を有する引抜き本体１を備え、引抜き本体１のハンドル部２近傍に配設される手動操作部７と、絡め部材３近傍に配設されて絡め部材３に巻き付いた雑草Ｚを下方へ押し出す押出部６と、手動操作部７と押出部６とを上下連結して一体化する連結部材５とを、有する雑草取外し部材１５を備えたので、ハンドル部２に手動回転トルクを付与して、引抜き本体１を回転させて絡め部材３を雑草Ｚの根に巻き付け、雑草Ｚを根こそぎ引き抜くことができ、雑草Ｚの再発生を抑制できる。また、雑草取外し部材１５により絡め部材３に巻き付いた雑草Ｚを簡単に取り外すことができる。作業者が立ったままで雑草Ｚを次々と引抜いて、腰を屈めることなく迅速かつ容易に雑草Ｚを取り外せるため、足腰への負担が少なく、作業効率を向上できる。
【００２０】
また、引抜き本体１を上下方向に貫通する貫通孔４を形成し、貫通孔４に連結部材５を収納しているので、構造が簡単で、かつ、外観上美観に優れ、しかも、引抜き本体１のハンドル部２近傍での手動押圧操作により絡め部材３に巻き付いた雑草Ｚを迅速かつ容易に取り外すことができる。
【００２１】
また、複数本の絡め部材３は、底面視に於て、縦管１０の軸心点Ｐを中心とする仮想円Ｃ上に配設されているので、絡め部材３を地面に差し込んでの回転操作がスムーズに行え、絡め部材３に雑草Ｚの根を確実に巻き付けることができる。
【００２２】
また、押出部６は、隣接する絡め部材３，３の間隙９に入り込む凸部１６を有しているので、絡め部材３，３の間に存在する雑草Ｚの根や土を押し下げて、これを確実に除去できる。
【符号の説明】
【００２３】
１  引抜き本体
２  ハンドル部
３  絡め部材
４  貫通孔
５  連結部材
６  押出部
７  手動操作部
９  間隙
１０  縦管
１５  雑草取外し部材
１６  凸部
Ｚ  雑草
Ｐ  軸心点
Ｃ  仮想円
【図１】
0005442151.tif 000002
【図２】
0005442151.tif 000003
【図３】
0005442151.tif 000004
【図４】
0005442151.tif 000005
【図５】
0005442151.tif 000006
【図６】
0005442151.tif 000007